(57)【特許請求の範囲】
【請求項１】
開口部が箱の側面に設けられ、底板が、所定の距離を隔てて相対向状に配設された上下一対の板を用い上げ底構造に形成され、この底板の上側板上に物品配設用空間が形成され、この物品配設用空間は、相対向する一対の横側板の間に、各横側板との間に所定の隙間をあけた状態で設けられていることを特徴とする化粧料容器用収容箱。
【請求項２】
上記物品配設用空間に対応する上記両横側板の部分が、所定の隙間をあけた状態で相対向状に配設された内外一対の板で構成されている請求項１記載の化粧料容器用収容箱。
【請求項３】
上記化粧料用収容箱が、一枚のシート部材から形成されている請求項１または２記載の化粧料容器用収容箱。
【請求項４】
上記物品配設用空間に配設される物品が、容器本体と、この容器本体の上端部に着脱自在に固定され上記容器本体の上面を蓋する蓋体とを備え、上記両横側板に対応する上記蓋体の外周部の部分を上記容器本体の外周面より外側に突出させ、これら両突出部分が、上記物品を物品配設用空間に配設した状態で上記両横側板に当接するように構成されている請求項１〜３のいずれか一項に記載の化粧料容器用収容箱。
【請求項５】
上記物品配設用空間に配設される物品が、容器本体と、この容器本体の上面もしくは上記底板の上側板に着脱自在に載置され上記容器本体の上面を蓋する蓋体とを備え、上記蓋体が、上記容器本体の上面を覆う天板と、上記天板の左右両端縁から上方に向かって延設される左右一対の連結板と、これら両連結板の上端縁から下側外方に向かって傾斜状に延設され、上記両横側板に相対向状に配設される一対の隙間形成板とを有し、これら両連結板および両隙間形成板により上記両横側板と、これら両横側板に対応する上記容器本体の外周面の部分との間に所定の隙間が形成されている請求項１〜３のいずれか一項に記載の化粧料容器用収容箱。
【請求項６】
上記蓋体の上面に凸部が形成され、もしくは上記蓋体の上面が凸曲面に形成されている請求項４記載の化粧料容器用収容箱。
【請求項７】
上記蓋体の天板の上面に凸部が形成され、もしくは上記天板の上面が凸曲面に形成されている請求項５記載の化粧料容器用収容箱。
【発明の詳細な説明】
【技術分野】
【０００１】
本発明は、コンパクト容器，化粧皿，レフィル容器，レフィル用中皿等の化粧料容器を収容するのに用いられる化粧料容器用収容箱に関するものである。
【背景技術】
【０００２】
従来から、医薬品，化粧品やレフィル容器，レフィル用中皿等の化粧料容器を収容し包装する容器として、図２９に示すような医薬品又は化粧品包装箱が出回っている。この包装箱は、内部に商品容器４１が収容された４角筒の内箱４２と、この内箱４２と略同サイズに形成された４角筒の不開有底外箱４３とを一体化したものからなり、上記内箱４２の内底板（図示せず）上に商品容器４１を載置した状態で、上記内箱４２を外箱４３の内部に嵌合して収容するようにしている（例えば、特許文献１参照）。図において、４４は上記内箱４２の上蓋、４５は上記外箱４３の方形蓋板、４６は上記外箱４３の中蓋片、４７は上記外箱４３の方形底板、４８は上記外箱４３の中底片である。
【特許文献１】特開平１０−２９６２９号公報
【発明の開示】
【発明が解決しようとする課題】
【０００３】
しかしながら、上記の包装箱では、内箱４２を外箱４３の内部に収容しているものの、上記内箱４２を、その内底板上に商品容器４１を載置した状態で、外箱４３の内部に嵌合しているため、上記外箱４３の底板４７，中底片４８と内箱４２の内底板とが密着状に当接している。したがって、上記の包装箱を床上に落とす等して落下時の衝撃が包装箱の底板４７に作用すると、この衝撃が外箱４３の中底片４８，内箱４２の内底板を介して商品容器４１に直接に作用し、この商品容器４１が破損，損傷等する。
【０００４】
本発明は、このような事情に鑑みなされたもので、収容箱を床上に落とす等して落下時の衝撃が収容箱の底板に作用しても、この衝撃を緩衝して収容箱内の商品を保護し、商品が破損，損傷等するのを防ぐことができる化粧料容器用収容箱（以下「収容箱」という）の提供をその目的とする。
【課題を解決するための手段】
【０００５】
上記の目的を達成するため、本発明の収容箱は、開口部が箱の側面に設けられ、底板が、所定の距離を隔てて相対向状に配設された上下一対の板を用い上げ底構造に形成され、この底板の上側板上に物品配設用空間が形成され、この物品配設用空間は、相対向する一対の横側板の間に、各横側板との間に所定の隙間をあけた状態で設けられているという構成をとる。
【発明の効果】
【０００６】
すなわち、本発明の収容箱は、開口部が箱の側面に設けられ、底板が、所定の距離を隔てて相対向状に配設された上下一対の板を用い上げ底構造に形成され、この底板の上側板上に物品配設用空間が形成されている。また、この物品配設用空間は、相対向する一対の横側板の間に、各横側板との間に所定の隙間をあけた状態で設けられている。このように、本発明の収容箱では、その底板が、所定の距離を隔てて相対向状に配設された上下一対の板を用い上げ底構造に形成されているため、この上げ底構造の部分に空気層が形成されている。そして、この空気層は緩衝作用を有していることから、上記収容箱を床上に落とす等して落下時の衝撃が収容箱の底板に作用しても、この衝撃を上記空気層の緩衝作用で緩衝することができ、上記（底板の上側板上に形成された）物品配設用空間に配設された商品を保護して、商品が破損，損傷等するのを防ぐことができる。しかも、上記物品配設用空間は、相対向する一対の横側板の間に、各横側板との間に所定の隙間をあけた状態で設けられているため、上記物品配設用空間に配設された物品の両横側空間にも空気層（すなわち、所定の隙間）が形成されており、上記落下時の衝撃が収容箱の両横側板もしくは一方の横側板に作用しても、この衝撃を上記空気層の緩衝作用で緩衝することができ、より一層商品を保護することができる。
【０００７】
また、上記物品配設用空間に対応する上記両横側板の部分が、所定の隙間をあけた状態で相対向状に配設された内外一対の板で構成されていると、これら内外一対の板のうち内側の板同士間に形成される空間に物品を配設する（すなわち、上記空間を物品配設用空間として利用する）ことで、上記空間の両横側に、上記内外一対の板間に形成される空気層を設けることができる。
【０００８】
また、上記物品配設用空間に配設される物品が、容器本体と、この容器本体の上端部に着脱自在に固定され上記容器本体の上面を蓋する蓋体とを備え、上記両横側板に対応する上記蓋体の外周部の部分を上記容器本体の外周面より外側に突出させ、これら両突出部分が、上記物品を物品配設用空間に配設した状態で上記両横側板に当接するように構成されていると、上記蓋体の外周部に両突出部分を設けることにより、上記物品配設用空間に配設された容器本体の外周面と上記両横側板との間に所定の隙間（すなわち、空気層）を設けることができる。
【０００９】
また、上記物品配設用空間に配設される物品が、容器本体と、この容器本体の上面もしくは上記底板の上側板に着脱自在に載置され上記容器本体の上面を蓋する蓋体とを備え、上記蓋体が、上記容器本体の上面を覆う天板と、上記天板の左右両端縁から上方に向かって延設される左右一対の連結板と、これら両連結板の上端縁から下側外方に向かって傾斜状に延設され、上記両横側板に相対向状に配設される一対の隙間形成板とを有し、これら両連結板および両隙間形成板により上記両横側板と、これら両横側板に対応する上記容器本体の外周面の部分との間に所定の隙間が形成されていると、上記両隙間形成板により、上記物品配設用空間に配設された容器本体の外周面と上記両横側板との間に所定の隙間（すなわち、空気層）を設けることができる。
【００１０】
また、上記蓋体の上面に凸部が形成され、もしくは上記蓋体の上面が凸曲面に形成されていると、上記凸部もしくは凸曲面により、上記蓋体の上方空間（すなわち、蓋体の上面と箱本体の上面間の空間）にも空気層を形成することができ、より一層商品を保護することができる。また、上記蓋体の天板部の上面に凸部が形成され、もしくは上記天板の上面が凸曲面に形成されている場合にも、同様の効果を奏する。なお、本発明において、「上面が凸曲面に形成されている」とは、上面だけが凸曲面に形成されている場合だけではなく、蓋体もしくは蓋体の天板部の全体が、凸曲面状に曲成された板状体である場合を含む意味である。
【発明を実施するための最良の形態】
【００１１】
つぎに、本発明の実施の形態を図面にもとづいて詳しく説明する。
【００１２】
図１〜図３は本発明の収容箱の一実施の形態を示している。この実施の形態では、上記収容箱に収容される物品として、レフィル用中皿を用いている。これらの図において、１は直方体形状のプラスチック製もしくは紙製の箱本体であり、１枚の折り曲げ線入りプラスチックシート（罫線入りプラスチックシート）（図示せず）を折り曲げて所定の箇所を接着等することにより作製したものである。
【００１３】
上記箱本体１は、その一横側面（図１では、前側面）が開口しており、この前側開口部のうち、上板１１の前端縁から前側蓋板１１ａが折り曲げ自在に突設されており、左右両側板１２，１３の前端縁から左右一対の突片１２ａ，１３ａが折り曲げ自在に突設されている。また、図３に示すように、上記箱本体１の左側板１３の上端縁から上下一対の固定板１４，１５、左右一対の支受板１６，１７および上側底板（上側板）１８が、上側固定板１４，右側支受板１６，上側底板１８，左側支受板１７，下側固定板１５の順で折り曲げ自在に延設されている。そして、上板１１に上側固定板１４を接着，固定し、この上側固定板１４に下側固定板１５を接着，固定した状態では、上側底板１８と下板（下側板）１９とが所定の距離を隔てて相対向状に配設され、右側板１２と右側支受板１６とが所定の距離を隔てて相対向状に配設され、左側板１３と左側支受板１７とが所定の距離を隔てて相対向状に配設されている。
【００１４】
このように、上記箱本体１の底部分が、上側底板１８と下板１９とからなる上げ底構造（上下二重板構造）に形成され、この上げ底構造の部分に空気層が形成されており、右側部分が、右側板１２と右側支受板１６とからなる内外二重板構造に形成されているとともに、左側部分が、左側板１３と左側支受板１７とからなる内外二重板構造に形成されており、これら両内外二重板構造の部分にそれぞれ空気層が形成されている。図２において、１１ｂは上記箱本体１の後側開口部を蓋する後側蓋板である。
【００１５】
上記箱本体１の内部には、蓋体３で蓋されたレフィル用中皿２（図４〜図８参照）が収容されている。このレフィル用中皿２は、図９〜図１２に示すように、内部にファンデーション等の固形化粧料２ａ（図８参照）が充填された金属製もしくはプラスチック製の中皿であり、その上端開口部の外周部の前後両側面には、後述する蓋体３の係合爪６に着脱自在に係合する突条４が突設されている。
【００１６】
上記蓋体３は、上記レフィル用中皿２の上面を蓋する蓋部５と、この蓋部５の外周寄り部分（上記レフィル用中皿２の両突条４に対応する部分）の下面から相対向状に垂下する係合爪６とからなり、これら両係合爪６が上記レフィル用中皿２の両突条４に着脱自在に係合している。また、上記蓋部５は、外周部から中央部に向かって上向きに緩やかに湾曲する（凸曲する）湾曲板（すなわち、凸曲面状に曲成された板状体）で構成されており、その外形は、レフィル用中皿２の外形より大きく（すなわち、レフィル用中皿２の外形から突出する形状に）形成されている（図７参照）。
【００１７】
上記の構成において、レフィル用中皿２の上面を蓋体３で蓋する場合には、レフィル用中皿２の上面上に蓋体３を位置決めし、その状態で蓋体３を下降させてレフィル用中皿２の上面開口部に押し込むことを行う。これにより、蓋体３の両係合爪６が上記レフィル用中皿２の両突条４に着脱自在に係合し、蓋部５でレフィル用中皿２の上面を蓋することができる。
【００１８】
また、このようにして、それ自体の上端開口部に蓋体３が着脱自在に固定されたレフィル用中皿２を箱本体１の内部に収容する場合には、レフィル用中皿２を上記箱本体１の上側底板１８上に載置するようにして前側開口部から奥側に押し込んだのち、上記前側開口部を前側蓋板１１ａで蓋することを行う。この状態では、上記蓋体３の蓋部５の外周面が上記箱本体１の左右両支受板１６，１７および前後両蓋板１１ａ，１１ｂの内面に当接しており、これにより、レフィル用中皿２の外周面と上記箱本体１の左右両支受板１６，１７、前後両蓋板１１ａ，１１ｂの内面との間に所定の隙間（すなわち、空気層）が形成されている。また、上記蓋体３の蓋部５の上面頂部が上記箱本体１の上板１１の内面に当接しており、これにより、上記蓋体３の蓋部５と上記箱本体１の上板１１との間にも空気層が形成されている。
【００１９】
上記のように、この実施の形態では、上記箱本体１の底部分および左右両側部分に空気層が形成されており、しかも、レフィル用中皿２の外周面と上記箱本体１の左右両支受板１６，１７、前後両蓋板１１ａ，１１ｂの内面との間および蓋体３の蓋部５の上面と上記箱本体１の上板１１の内面との間にも空気層が形成されており、これら各空気層は緩衝作用を有しているため、上記箱本体１を床上に落とす等して落下時の衝撃が収容箱の左右両側板１２，１３や上下両板１１，１９に作用しても、この衝撃を上記各空気層の緩衝作用で緩衝することができ、上記箱本体１の上側底板１８上に載置されたレフィル用中皿２を保護して、レフィル用中皿２やその内部に充填された固形化粧料２ａが破損，損傷等するのを防ぐことができる。
【００２０】
図１５〜図１７は本発明の収容箱の他の実施の形態を示している。この実施の形態では、上記箱本体１の内部に、蓋体３が載置されたレフィル用中皿２（図１８参照）が収容されている。このレフィル用中皿２は、内部にファンデーション等の固形化粧料２ａが充填された金属製もしくはプラスチック製の中皿である。図１５において、８は上記箱本体１の上板１１に穿設された窓部である。
【００２１】
上記蓋体３は、図１９〜図２１に示すように、上記レフィル用中皿２の上面を蓋する平板状の天板２１と、この天板２１の前後両端縁から下側・外方に向かって傾斜状に延設される前後一対の隙間形成板２２と、上記天板２１の左右両端縁から上方に向かって延設される左右一対の連結板（凸部）２３と、これら両連結板２３の上端縁から下側・外方に向かって傾斜状に延設される左右一対の隙間形成板２４とからなっている。それ以外の部分は上記実施の形態と同様であり、同様の部分には同じ符号を付している。
【００２２】
上記の構成において、レフィル用中皿２の上面を蓋体３で蓋する場合には、レフィル用中皿２の上面上に蓋体３の天板２１を着脱自在に載置することを行う。また、このようにして、それ自体の上面上に蓋体３が載置されたレフィル用中皿２を箱本体１の内部に収容する場合には、レフィル用中皿２を上記箱本体１の上側底板１８上に載置するようにして前側開口部から奥側に押し込むことを行う。この状態では、上記蓋体３の各隙間形成板２２，２４により、レフィル用中皿２の外周面と上記箱本体１の左右両支受板１６，１７および前後両蓋板１１ａ，１１ｂの内面との間に所定の隙間（すなわち、空気層）が形成されている。また、上記蓋体３の両連結板２３の上端縁が上記箱本体１の上板１１の内面に当接し、蓋体３の天板２１と上記箱本体１の上板１１との間に所定の隙間（すなわち、空気層）が形成されている。したがって、この実施の形態でも、上記実施の形態と同様の作用・効果を奏する。
【００２３】
図２２および図２３は本発明の収容箱のさらに他の実施の形態を示している。この実施の形態では、上記箱本体１は、図２３に示すように、上板１１の右端縁から左右一対の固定板３１，３２および上側底板（上側板）３３が、右側固定板３１，上側底板３３，左側固定板３２の順で折り曲げ自在に延設されており、右側固定板３１を右側板１２に接着，固定し、左側固定板３２を左側板１３に接着，固定した状態では、上記上側底板３３と下板（下側板）１９とが所定の距離を隔てて相対向状に配設されている。これにより、上記箱本体１の底部分が、上側底板３３と下板１９とからなる上げ底構造（上下二重板構造）に形成され、この上げ底構造の部分に空気層が形成されている。それ以外の部分は、図１〜図１４に示す実施の形態と同様であり、同様の部分には同じ符号を付している。
【００２４】
上記のように、この実施の形態では、上記箱本体１の左右両側部分に空気層が形成されていないものの、上記箱本体１の底部分に空気層が形成されており、図１〜図１４に示す実施の形態と同様の作用・効果を奏する。
【００２５】
図２４および図２５は本発明の収容箱のさらに他の実施の形態を示している。この実施の形態では、上記箱本体１として、図２２および図２３に示すものを用いている。それ以外の部分は、図１５〜図２１に示す実施の形態と同様であり、同様の部分には同じ符号を付している。この実施の形態でも、上記箱本体１の左右両側部分に空気層が形成されていないものの、上記箱本体１の底部分に空気層が形成されており、図１５〜図２１に示す実施の形態と同様の作用・効果を奏する。
【００２６】
図２６は本発明の収容箱のさらに他の実施の形態を示している。この実施の形態では、図１〜図１４に示す実施の形態において、上記箱本体１に収容される物品として、容器本体３５ａと、この容器本体３５ａの一端部にヒンジ連結され上記容器本体３５ａの上面を蓋する蓋体３５ｂとを備えた化粧料容器３５を用いている。それ以外の部分は、図１〜図１４に示す実施の形態と同様であり、同様の部分には同じ符号を付している。この実施の形態でも、上記箱本体１の底部分および左右両側部分に空気層が形成されているため、図１〜図１４に示す実施の形態と同様の作用・効果を奏する。
【００２７】
図２７は上記箱本体１の変形例を示している。この例では、上記箱本体１は、四角形箱体３６の上板３６ａに、コ字状に折り曲げられた折り曲げ片３７のコ字状の両縦片３７ａの上端面を接着，固定したもので構成されており、これにより、上記箱本体１の底部分および左右両側部分に空気層が形成されている。
【００２８】
図２８は上記箱本体１の他の変形例を示している。この例では、上記箱本体１は、四角形箱体３６の左右両側板３６ｂに横板３８を接着，固定し、この横板３８の左右両側部から左右一対の側板３８ａを接着，固定して立設したもので構成されており、これにより、上記箱本体１の底部分および左右両側部分に空気層が形成されている。
【００２９】
なお、図１５〜図２１に示す実施の形態および図２４，図２５に示す実施の形態では、蓋体３がレフィル用中皿２の上面上および箱本体１の上側底板１８上の双方に載置されているが、これに限定するものではなく、レフィル用中皿２の上面上および箱本体１の上側底板１８上の一方にだけ載置されていてもよい。
【００３０】
また、上記各実施の形態において、上記箱本体１を型成形等により一体に成形してもよい。また、上記各実施の形態において、物品として、コンパクト容器，レフィル容器を用いる場合には、皿状（底面があるもの）であってもよいし、枠状（底面がないもの）であってもよい。
【図面の簡単な説明】
【００３１】
【図１】本発明の収容箱の一実施の形態を示す斜視図である。
【図２】上記収容箱の断面図である。
【図３】上記収容箱の要部の断面図である。
【図４】蓋体を固定したレフィル用中皿の斜視図である。
【図５】上記蓋体を固定したレフィル用中皿の側面図である。
【図６】上記蓋体を固定したレフィル用中皿の断面図である。
【図７】上記蓋体を固定したレフィル用中皿の底面図である。
【図８】上記蓋体を固定したレフィル用中皿の分解斜視図である。
【図９】レフィル用中皿の平面図である。
【図１０】上記レフィル用中皿の側面図である。
【図１１】上記レフィル用中皿の底面図である。
【図１２】上記レフィル用中皿の断面図である。
【図１３】上記蓋体の側面図である。
【図１４】上記蓋体の底面図である。
【図１５】本発明の収容箱の他の実施の形態を示す斜視図である。
【図１６】上記収容箱の断面図である。
【図１７】上記収容箱の要部の断面図である。
【図１８】蓋体を載置したレフィル用中皿の斜視図である。
【図１９】上記蓋体の断面図である。
【図２０】上記蓋体の要部の断面図である。
【図２１】上記蓋体の斜視図である。
【図２２】本発明の収容箱のさらに他の実施の形態を示す断面図である。
【図２３】上記収容箱の要部の断面図である。
【図２４】本発明の収容箱のさらに他の実施の形態を示す断面図である。
【図２５】上記収容箱の要部の断面図である。
【図２６】本発明の収容箱のさらに他の実施の形態を示す断面図である。
【図２７】上記箱本体の変形例を示す断面図である。
【図２８】上記箱本体の他の変形例を示す断面図である。
【図２９】従来例を示す斜視図である。
【符号の説明】
【００３２】
１  箱本体
１２，１３  左右両側板
１８  上側底板
１９  下板
【図１】
0004783597.tif 000002
【図２】
0004783597.tif 000003
【図３】
0004783597.tif 000004
【図４】
0004783597.tif 000005
【図５】
0004783597.tif 000006
【図６】
0004783597.tif 000007
【図７】
0004783597.tif 000008
【図８】
0004783597.tif 000009
【図９】
0004783597.tif 000010
【図１０】
0004783597.tif 000011
【図１１】
0004783597.tif 000012
【図１２】
0004783597.tif 000013
【図１３】
0004783597.tif 000014
【図１４】
0004783597.tif 000015
【図１５】
0004783597.tif 000016
【図１６】
0004783597.tif 000017
【図１７】
0004783597.tif 000018
【図１８】
0004783597.tif 000019
【図１９】
0004783597.tif 000020
【図２０】
0004783597.tif 000021
【図２１】
0004783597.tif 000022
【図２２】
0004783597.tif 000023
【図２３】
0004783597.tif 000024
【図２４】
0004783597.tif 000025
【図２５】
0004783597.tif 000026
【図２６】
0004783597.tif 000027
【図２７】
0004783597.tif 000028
【図２８】
0004783597.tif 000029
【図２９】
0004783597.tif 000030